【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
話者を識別するための装置であって、
タッチ感応式画面を備え、第２のデバイスの位置及び方位をキャプチャするための第１のデバイスであって、前記第２のデバイスは、音をキャプチャするための複数のマイクを備え、前記第２のデバイスは、前記タッチ感応式画面上に可動位置及び可動方位を有し、前記タッチ感応式画面は、前記タッチ感応式画面上における前記第２のデバイスの前記位置及び前記方位をキャプチャする、第１のデバイスと、
前記第１のデバイスからのデータに基づいて前記第２のデバイスの前記位置及び方位を決定するようにと、
各々が対応するオブジェクトによって表される複数のユーザのうちの第１のユーザの表現としてオブジェクトを割り当てるようにであって、ここにおいて、前記オブジェクトは、前記タッチ感応式画面上に提示されたグラフィカルユーザインタフェースにおけるグラフィカルユーザインタフェース要素を備え、前記グラフィカルユーザインタフェース要素は、前記第１のユーザの位置から独立した所在で、前記グラフィカルユーザインタフェース内において表示され、前記グラフィカルユーザインタフェースを表示する前記タッチ感応式画面とのユーザ対話を介して前記グラフィカルユーザインタフェース内において可動である、ようにと、
前記タッチ感応式画面から前記オブジェクトの位置を受信するようにであって、ここにおいて、前記タッチ感応式画面上における前記第２のデバイスの前記位置及び前記オブジェクトの前記位置は、前記第２のデバイスに関する前記オブジェクトの方向を決定する、ようにと、
前記オブジェクトの前記方向を起源とする音を識別するために前記キャプチャされた音を処理するようにと、
前記オブジェクトの前記方向を起源とする前記識別された音を前記オブジェクトによって前記グラフィカルユーザインタフェース上において表されている前記第１のユーザに属するとして関連付けるように
構成された少なくとも１つのプロセッサと、
を備える、装置。
【請求項２】
前記第２のデバイスは、第１の誘導コンポーネントと、第２の誘導コンポーネントと、を備え、前記タッチ感応式画面は、前記第１及び第２の誘導コンポーネントがどこで前記タッチ感応式画面に結合されるかをキャプチャすることによって前記第２のデバイスの前記位置及び前記方位をキャプチャする請求項１に記載の装置。
【請求項３】
前記第１の誘導コンポーネントは、前記第２の誘導コンポーネントと異なるサイズを有する請求項２に記載の装置。
【請求項４】
前記タッチ感応式画面は、サーフェステーブル内に含められる請求項１に記載の装置。
【請求項５】
前記第１のデバイスは、モバイルデバイスを備える請求項１に記載の装置。
【請求項６】
前記モバイルデバイスは、ハンドセット、タブレット、電話、スマートフォン、ポータブル電子デバイス、電子ノートパッド、及び／又はパーソナルデジタルアシスタント（ＰＤＡ）のうちの１つ以上を備える請求項５に記載の装置。
【請求項７】
前記第１のデバイスは、画像キャプチャリング画面を備える請求項１に記載の装置。
【請求項８】
前記第２のデバイスは、少なくとも１つのビジュアルマーカーを備え、前記画像キャプチャリング画面は、前記第２のデバイスの前記少なくとも１つのビジュアルマーカーの前記位置及び方位をキャプチャすることによって前記第２のデバイスの前記位置及び前記方位をキャプチャするためのものである請求項７に記載の装置。
【請求項９】
前記オブジェクトの前記位置は、前記第１のユーザの前記位置での動きを表すために、前記タッチ感応式画面との前記ユーザ対話を介して移動される請求項１に記載の装置。
【請求項１０】
前記第１のユーザは、前記タッチ感応式画面に近接する請求項１に記載の装置。
【請求項１１】
話者を識別するための方法であって、
タッチ感応式画面を備える第１のデバイスからのデータに基づいて第２のデバイスの位置及び方位を決定することであって、前記第１のデバイスは、前記第２のデバイスの前記位置及び方位をキャプチャするためのものであり、前記第２のデバイスは、音をキャプチャするための複数のマイクを備え、ここにおいて、前記第２のデバイスは、前記タッチ感応式画面上に可動位置及び可動方位を有し、前記タッチ感応式画面は、前記タッチ感応式画面上における前記第２のデバイスの前記位置及び前記方位をキャプチャすることと、
第１のユーザの表現としてオブジェクトを割り当てることであって、ここにおいて、前記オブジェクトは、前記タッチ感応式画面上に提示されたグラフィカルユーザインタフェースにおけるグラフィカルユーザインタフェース要素を備え、前記グラフィカルユーザインタフェース要素は、前記第１のユーザの位置から独立した所在で、前記グラフィカルユーザインタフェース内において表示され、前記グラフィカルユーザインタフェースを表示する前記タッチ感応式画面とのユーザ対話を介して前記グラフィカルユーザインタフェース内において可動であることと、
前記タッチ感応式画面から前記オブジェクトの位置を受信することであって、ここにおいて、前記タッチ感応式画面上における前記第２のデバイスの前記位置及び前記オブジェクトの前記位置は、前記第２のデバイスに関する前記オブジェクトの方向を決定することと、
前記オブジェクトの前記方向を起源とする音を識別するために前記キャプチャされた音を処理することと、
前記オブジェクトの前記方向を起源とする前記識別された音を前記オブジェクトによって前記グラフィカルユーザインタフェース上において表されている前記第１のユーザに属するとして関連付けることと、を備える、方法。
【請求項１２】
前記第２のデバイスは、第１の誘導コンポーネントと、第２の誘導コンポーネントと、を備え、前記タッチ感応式画面は、前記第１及び第２の誘導コンポーネントがどこで前記タッチ感応式画面に結合されるかをキャプチャすることによって前記第２のデバイスの前記位置及び前記方位をキャプチャする請求項１１に記載の方法。
【請求項１３】
前記第１の誘導コンポーネントは、前記第２の誘導コンポーネントと異なるサイズを有する請求項１１に記載の方法。
【請求項１４】
前記タッチ感応式画面は、サーフェステーブル内に含められる請求項１１に記載の方法。
【請求項１５】
前記第１のデバイスは、モバイルデバイスを備える請求項１１に記載の方法。
【請求項１６】
前記モバイルデバイスは、ハンドセット、タブレット、電話、スマートフォン、ポータブル電子デバイス、電子ノートパッド、及び／又はパーソナルデジタルアシスタント（ＰＤＡ）のうちの１つ以上を備える請求項１５に記載の方法。
【請求項１７】
前記第１のデバイスは、画像キャプチャリング画面を備える請求項１１に記載の方法。
【請求項１８】
前記第２のデバイスは、少なくとも１つのビジュアルマーカーを備え、前記画像キャプチャリング画面は、前記第２のデバイスの前記少なくとも１つのビジュアルマーカーの前記位置及び方位をキャプチャすることによって前記第２のデバイスの前記位置及び前記方位をキャプチャするためのものである請求項１７に記載の方法。
【請求項１９】
前記オブジェクトの前記位置は、前記第１のユーザの前記位置での動きを表すために、前記タッチ感応式画面との前記ユーザ対話を介して移動される請求項１１に記載の方法。
【請求項２０】
前記第１のユーザは、前記タッチ感応式画面に近接する請求項１１に記載の方法。
【請求項２１】
話者を識別するための装置であって、
タッチ感応式画面を備える第１のデバイスからのデータに基づいて第２のデバイスの位置及び方位を決定するための手段であって、前記第１のデバイスは、前記第２のデバイスの前記位置及び方位をキャプチャするためのものであり、前記第２のデバイスは、音をキャプチャするための複数のマイクを備え、ここにおいて、前記第２のデバイスは、前記タッチ感応式画面上に可動位置及び可動方位を有し、前記タッチ感応式画面は、前記タッチ感応式画面上における前記第２のデバイスの前記位置及び前記方位をキャプチャする手段と、
各々が対応するオブジェクトによって表される複数のユーザのうちの第１のユーザの表現としてオブジェクトを割り当てるための手段であって、ここにおいて、前記オブジェクトは、前記タッチ感応式画面上に提示されたグラフィカルユーザインタフェースにおけるグラフィカルユーザインタフェース要素を備え、前記グラフィカルユーザインタフェース要素は、前記第１のユーザの位置から独立した所在で、前記グラフィカルユーザインタフェース内において表示され、前記グラフィカルユーザインタフェースを表示する前記タッチ感応式画面とのユーザ対話を介して前記グラフィカルユーザインタフェース内において可動である手段と、
前記タッチ感応式画面から前記オブジェクトの位置を受信するための手段であって、ここにおいて、前記タッチ感応式画面上における前記第２のデバイスの前記位置及び前記オブジェクトの前記位置は、前記第２のデバイスに関する前記オブジェクトの方向を決定する手段と、
前記オブジェクトの前記方向を起源とする音を識別するために前記キャプチャされた音を処理するための手段と、
前記オブジェクトの前記方向を起源とする前記識別された音を前記オブジェクトによって前記グラフィカルユーザインタフェース上において表されている前記第１のユーザに属するとして関連付けるための手段と、を備える、装置。
【請求項２２】
前記第２のデバイスは、第１の誘導コンポーネントと、第２の誘導コンポーネントと、を備え、前記タッチ感応式画面は、前記第１及び第２の誘導コンポーネントがどこで前記タッチ感応式画面に結合されるかをキャプチャすることによって前記第２のデバイスの前記位置及び前記方位をキャプチャする請求項２１に記載の装置。
【請求項２３】
前記第１の誘導コンポーネントは、前記第２の誘導コンポーネントと異なるサイズを有する請求項２２に記載の装置。
【請求項２４】
前記タッチ感応式画面は、サーフェステーブル内に含められる請求項２１に記載の装置。
【請求項２５】
前記第１のデバイスは、モバイルデバイスを備える請求項２１に記載の装置。
【請求項２６】
前記モバイルデバイスは、ハンドセット、タブレット、電話、スマートフォン、ポータブル電子デバイス、電子ノートパッド、及びパーソナルデジタルアシスタント（ＰＤＡ）のうちの１つ以上を備える請求項２５に記載の装置。
【請求項２７】
前記第１のデバイスは、画像キャプチャリング画面を備える請求項２１に記載の装置。
【請求項２８】
前記第２のデバイスは、少なくとも１つのビジュアルマーカーを備え、前記画像キャプチャリング画面は、前記第２のデバイスの前記少なくとも１つのビジュアルマーカーの前記位置及び方位をキャプチャすることによって前記第２のデバイスの前記位置及び前記方位をキャプチャするためのである請求項２７に記載の装置。
【請求項２９】
前記オブジェクトの前記位置は、前記第１のユーザの前記位置での動きを表すために、前記タッチ感応式画面との前記ユーザ対話を介して移動される請求項２１に記載の装置。
【請求項３０】
前記装置は、ハンドセットを備える請求項２１に記載の装置。
【請求項３１】
前記第１のユーザは、前記タッチ感応式画面に近接する請求項２１に記載の装置。
【請求項３２】
非一時的なコンピュータによって読み取り可能な記憶媒体であって、
少なくとも１つのプロセッサによって実行されたときに、
タッチ感応式画面を備える第１のデバイスからのデータに基づいて第２のデバイスの位置及び方位を決定することであって、前記第１のデバイスは、前記第２のデバイスの前記位置及び方位をキャプチャするためのものであり、前記第２のデバイスは、音をキャプチャするための複数のマイクを備え、ここにおいて、第２のデバイスは、前記タッチ感応式画面上に可動位置及び可動方位を有し、前記タッチ感応式画面は、前記タッチ感応式画面上における前記第２のデバイスの前記位置及び前記方位をキャプチャすることと、
各々が対応するオブジェクトによって表される複数のユーザのうちの第１のユーザの表現としてオブジェクトを割り当てることであって、ここにおいて、前記オブジェクトは、前記タッチ感応式画面上に提示されたグラフィカルユーザインタフェースにおけるグラフィカルユーザインタフェース要素を備え、
ここにおいて、前記グラフィカルユーザインタフェース要素は、前記第１のユーザの位置から独立した所在で、前記グラフィカルユーザインタフェース内において表示され、前記グラフィカルユーザインタフェースを表示する前記タッチ感応式画面とのユーザ対話を介して前記グラフィカルユーザインタフェース内において可動であることと、
前記タッチ感応式画面から前記オブジェクトの位置を受信することであって、前記タッチ感応式画面上における前記第２のデバイスの前記位置及び前記オブジェクトの前記位置は、前記第２のデバイスに関する前記オブジェクトの方向を決定することと、
前記オブジェクトの前記方向を起源とする音を識別するために前記キャプチャされた音を処理することと、
前記オブジェクトの前記方向を起源とする前記識別された音を前記オブジェクトによって前記グラフィカルユーザインタフェース上において表されている前記第１のユーザに属するとして関連付けることと
を前記少なくとも１つのプロセッサに行わせる、話者を識別するための１つ以上の命令を備える、
非一時的なコンピュータによって読み取り可能な記憶媒体。
【請求項３３】
前記第２のデバイスは、第１の誘導コンポーネントと、第２の誘導コンポーネントと、を備え、前記タッチ感応式画面は、前記第１及び第２の誘導コンポーネントがどこで前記タッチ感応式画面に結合されるかをキャプチャすることによって前記第２のデバイスの前記位置及び前記方位をキャプチャする請求項３２に記載の非一時的なコンピュータによって読み取り可能な記憶媒体。
【請求項３４】
前記第１の誘導コンポーネントは、前記第２の誘導コンポーネントと異なるサイズを有する請求項３３に記載の非一時的なコンピュータによって読み取り可能な記憶媒体。
【請求項３５】
前記タッチ感応式画面は、サーフェステーブル内に含められる請求項３２に記載の非一時的なコンピュータによって読み取り可能な記憶媒体。
【請求項３６】
前記第１のデバイスは、モバイルデバイスを備える請求項３２に記載の非一時的なコンピュータによって読み取り可能な記憶媒体。
【請求項３７】
前記モバイルデバイスは、ハンドセット、タブレット、電話、スマートフォン、ポータブル電子デバイス、電子ノートパッド、及び／又はパーソナルデジタルアシスタント（ＰＤＡ）を備える請求項３６に記載の非一時的なコンピュータによって読み取り可能な記憶媒体。
【請求項３８】
前記第１のデバイスは、画像キャプチャリング画面を備える請求項３２に記載の非一時的なコンピュータによって読み取り可能な記憶媒体。
【請求項３９】
前記第２のデバイスは、少なくとも１つのビジュアルマーカーを備え、前記画像キャプチャリング画面は、前記第２のデバイスの前記少なくとも１つのビジュアルマーカーの前記位置及び方位をキャプチャすることによって前記第２のデバイスの前記位置及び前記方位をキャプチャするためのものである請求項３２に記載の非一時的なコンピュータによって読み取り可能な記憶媒体。
【請求項４０】
前記第１のユーザは、前記タッチ感応式画面に近接する請求項３２に記載の非一時的なコンピュータによって読み取り可能な記憶媒体。